(57)【要約】      （修正有）【課題】ストーカーを外して配信する、グループ配信するシステムと方法を提供する。【解決手段】グループ配信するシステムは、登録メンバーに対して、優先順位の高低を決めてグループ分けし、次に自端末１０と他端末との携帯端末間の距離を基に、配信エリア２０を設定し、前記グループの選択又は前記配信エリアの設定で選ばれた端末群に、情報をグループ配信する。また、さらに配信端末目標数を設定したりすることで、優先順位に従ってグループ選択を優先させるか又は自端末の近くから遠くへと配信エリア設定を優先させるかの条件により、端末群を決定させる。【選択図】図２
2020115646.tif 000002
【特許請求の範囲】
【請求項１】
携帯端末群に対して、自端末が配信するグループ配信システムであって、
該携帯端末群を優先順位別にグループ分けする、グループ分け手段と、
自端末と他端末間の距離をＧＰＳで算出する、距離算出手段と、
該自端末と他端末間の距離により配信エリアを設定する、配信エリア設定手段と、
前記優先順位に従って前記グループを選択する、グループ選択手段と、
前記配信エリア設定手段と前記グループ選択手段を用いて、選ばれた配信エリアとグループから他端末を選択する、端末選択手段と、
該端末選択手段によって選択された前記他端末に情報を配信する、情報配信手段と、
を備えていることを特徴とするグループ配信システム。
【請求項２】
前記情報配信手段は、
前記優先順位に従って前記グループ別に、
異なる情報を配信する、グループ別配信情報設定手段を含むことを特徴とする請求項１に記載のグループ配信システム。
【請求項３】
前記配信エリア設定手段は、
前記優先順位に従って前記グループ別に、
異なる配信エリアを設定する、グループ別配信エリア設定手段を含むことを特徴とする請求項１又は請求項２に記載のグループ配信システム。
【請求項４】
前記自端末は、複数の自端末を含み、該複数の自端末は、人の移動エリア内で異なる位置に据え置かれ、さらに前記他端末のグループ分けの情報は、前記複数の自端末の間で共通であることを特徴とする請求項１から請求項３までのいずれか１項に記載のグループ配信システム。
【請求項５】
自端末から配信可能な配信端末目標数を設定する、配信端末目標数設定手段をさらに備え、
前記端末選択手段は、前記グループ選択手段によりグループ選択を優先させる、グループ選択優先手段を含み、選択された端末数が設定された前記配信端末目標数に到達させるようにしたことを特徴とする請求項１に記載のグループ配信システム。
【請求項６】
自端末から配信可能な配信端末目標数を設定する、配信端末目標数設定手段をさらに備え、
前記端末選択手段は、前記配信エリア設定手段により自端末の近くから遠くへと配信エリア設定を優先させる、配信エリア設定優先手段を含み、選択された端末数が設定された前記配信端末目標数に到達させるようにしたことを特徴とする請求項１に記載のグループ配信システム。
【請求項７】
前記グループ選択優先手段は、
前記グループ選択手段によって最上位から最下位の優先グループまでを順次追加して行くに当たって、優先させるグループ群として、最初に最上位の優先グループを特定させ、前記配信エリア設定手段によって、前記配信端末目標数に達するまで最小配信エリアから最大配信エリアまで段階的に増やして、最大配信エリアになっても前記配信端末目標数に達しない場合は、次に、前記グループ選択手段によって、１つ優先順位を下げて優先グループをさらに追加し、前記配信エリア設定手段によって再度、最小配信エリアから最大配信エリアまで段階的に増やして、前記配信端末目標数を達したかを確認し、この操作を繰り返して、前記配信端末目標数を達した場合は、その時点で配信するグループ群と、配信エリアを決定するようにしたことを特徴とする請求項５に記載のグループ配信システム。
【請求項８】
前記配信エリア設定優先手段は、
前記配信エリア設定手段によって最小配信エリアから最大配信エリアまで段階的に増やして行くに当たって、最初に最小配信エリアに設定した後、前記グループ選択手段によって、前記配信端末目標数に達するまで最上位から最下位の優先グループまでを順次追加し、最下位グループを選んでも前記配信端末目標数に達しない場合は、次に、前記配信エリア設定手段によって、配信エリアを一段階広げた後、前記グループ選択手段によって再度、最上位から最下位の優先グループまで順次追加して、前記配信端末目標数を達したかを確認し、この操作を繰り返して、前記配信端末目標数に達した場合は、その時点で配信するグループ群と、配信エリアを決定するようにしたことを特徴とする請求項６に記載のグループ配信システム。
【請求項９】
携帯端末群に対して、自端末が配信するグループ配信方法であって、
該携帯端末群を優先順位別にグループ分けする、グループ分けステップと、
自端末と他端末間の距離をＧＰＳで算出する、距離算出ステップと、
該自端末と他端末間の距離により配信エリアを設定する、配信エリア設定ステップと、
前記優先順位に従って前記グループを選択する、グループ選択ステップと、
前記配信エリア設定ステップと前記グループ選択ステップを用いて、選ばれた配信エリアとグループから他端末を選択する、端末選択ステップと、
該端末選択ステップによって選択された前記他端末に情報を配信する、情報配信ステップと、
を備えていることを特徴とするグループ配信方法。
【請求項１０】
前記情報配信ステップは、
前記優先順位に従って前記グループ別に、
異なる情報を配信する、グループ別配信情報設定ステップを含むことを特徴とする請求項９に記載のグループ配信方法。
【請求項１１】
前記配信エリア設定ステップは、
前記優先順位に従って前記グループ別に、
異なる配信エリアを設定する、グループ別配信エリア設定ステップを含むことを特徴とする請求項９又は請求項１０に記載のグループ配信方法。
【請求項１２】
前記自端末は、複数の自端末を含み、該複数の自端末は、人の移動エリア内で異なる位置に据え置かれ、さらに前記他端末のグループ分けの情報は、前記複数の自端末の間で共通であることを特徴とする請求項９から請求項１１までのいずれか１項に記載のグループ配信方法。
【請求項１３】
自端末から配信可能な配信端末目標数を設定する、配信端末目標数設定ステップをさらに備え、
前記端末選択ステップは、前記グループ選択ステップによりグループ選択を優先させる、グループ選択優先ステップを含み、選択された端末数が設定された前記配信端末目標数に到達させるようにしたことを特徴とする請求項９に記載のグループ配信方法。
【請求項１４】
自端末から配信可能な配信端末目標数を設定する、配信端末目標数設定ステップをさらに備え、
前記端末選択ステップは、前記配信エリア設定ステップにより自端末の近くから遠くへと配信エリア設定を優先させる、配信エリア設定優先ステップを含み、選択された端末数が設定された前記配信端末目標数に到達させるようにしたことを特徴とする請求項９に記載のグループ配信方法。
【請求項１５】
前記グループ選択優先ステップは、
前記グループ選択ステップによって最上位から最下位の優先グループまでを順次追加して行くに当たって、優先させるグループ群として、最初に最上位の優先グループを特定させ、前記配信エリア設定ステップによって、前記配信端末目標数に達するまで最小配信エリアから最大配信エリアまで段階的に増やして、最大配信エリアになっても前記配信端末目標数に達しない場合は、次に、前記グループ選択ステップによって、１つ優先順位を下げて優先グループをさらに追加し、前記配信エリア設定ステップによって再度、最小配信エリアから最大配信エリアまで段階的に増やして、前記配信端末目標数を達したかを確認し、この操作を繰り返して、前記配信端末目標数を達した場合は、その時点で配信するグループ群と、配信エリアを決定するようにしたことを特徴とする請求項１３に記載のグループ配信方法。
【請求項１６】
前記配信エリア設定優先ステップは、
前記配信エリア設定ステップによって最小配信エリアから最大配信エリアまで段階的に増やして行くに当たって、最初に最小配信エリアに設定した後、前記グループ選択ステップによって、前記配信端末目標数に達するまで最上位から最下位の優先グループまでを順次追加し、最下位グループを選んでも前記配信端末目標数に達しない場合は、次に、前記配信エリア設定ステップによって、配信エリアを一段階広げた後、前記グループ選択ステップによって再度、最上位から最下位の優先グループまで順次追加して、前記配信端末目標数を達したかを確認し、この操作を繰り返して、前記配信端末目標数に達した場合は、その時点で配信するグループ群と、配信エリアを決定するようにしたことを特徴とする請求項１４に記載のグループ配信方法。
【発明の詳細な説明】
【技術分野】
【０００１】
本発明は、登録メンバーに対して、優先順位の高低を決めてグループ分けし、次に自端末と他端末との携帯端末間の距離を基に、配信エリアを設定し、前記グループの選択、又は前記配信エリアの設定で選ばれた端末群に、情報をグループ配信したり、又さらに配信端末目標数を設定したりすることで、優先順位に従ってグループ選択を優先させるか、又は自端末の近くから遠くへと配信エリア設定を優先させるか、の条件により、端末群を決定させ、グループ配信するシステムと方法に関するものである。
【背景技術】
【０００２】
従来は、危険に遭遇した場合、予め登録された家族メンバーに対して、危険情報を配信していた。さらに登録メンバーを増やそうとすると、潜在的にストーカーも含まれている可能性が高まる。もし含まれておれば、配信される危険情報が、登録メンバーである該ストーカーを誘き寄せることになる。
【０００３】
本発明に関係する、携帯端末を利用した危険情報通知システムとして、特許文献１を挙げた。特許文献１は、分散型の通信ネットワークにおいて、位置情報をＧＰＳで取得し、距離算出して、配信相手となる端末群を選定する。そして、選定された端末群に非常時の危険情報が連続で配信される。しかしながら配信相手として、潜在的なストーカーを選定している可能性がある。
【先行技術文献】
【特許文献】
【０００４】
【特許文献１】特許第６１０６３５２号公報
【発明の概要】
【発明が解決しようとする課題】
【０００５】
従来の危険通知方式は、通知者の緊急時や非常事態に陥ったときに、予め登録された通知先に、危険情報を送ったり、救援を要請したりする。多くの人が救援に駆けつけてくれるようにと、登録メンバーを増やそうとすると、潜在的にストーカーも含まれている可能性が高まる。つまり、危険情報が配信されれば、そのことで該ストーカーを誘き寄せるかもしれない。そこで、本発明は、上記ストーカーを外して配信することによって、前記通知者自身を守ることを課題とする。
【課題を解決するための手段】
【０００６】
本発明者は、前者の課題を解決する方法については、登録メンバーを「家族（Ａグループとする）」及び「友人（Ｂグループとする）」、「教育機関や企業、諸団体（Ｃグループとする）」、「アプリ登録メンバー（Ｄグループとする）」というように２つ以上のグループ分けを行い、通知者の危険のレベルに合せて優先順位によって配信グループを追加していく方式に解決の術を見出した。教育機関や公共団体、企業、諸団体などの所属組織であれば、個人情報が特定できるので、配信しても、それが潜在的なストーカーを誘き寄せる可能性が少なく、より安全な危険通知システムが構築できる。このような解決する方法を見出し、本発明を完成させた。
【０００７】
本発明は、グループ配信のシステムと方法からなる。
【０００８】
上記の課題を解決するため、本発明のグループ配信システムは、携帯端末群に対して、自端末が配信するグループ配信システムであって、該携帯端末群を優先順位別にグループ分けする、グループ分け手段と、自端末と他端末間の距離をＧＰＳで算出する、距離算出手段と、該自端末と他端末間の距離により配信エリアを設定する、配信エリア設定手段と、前記優先順位に従って前記グループを選択する、グループ選択手段と、前記配信エリア設定手段と前記グループ選択手段を用いて、選ばれた配信エリアとグループから他端末を選択する、端末選択手段と、該端末選択手段によって選択された前記他端末に情報を配信する、情報配信手段と、を備えていることを特徴とする。
【０００９】
又、本発明のグループ配信方法は、携帯端末群に対して、自端末が配信するグループ配信方法であって、該携帯端末群を優先順位別にグループ分けする、グループ分けステップと、自端末と他端末間の距離をＧＰＳで算出する、距離算出ステップと、該自端末と他端末間の距離により配信エリアを設定する、配信エリア設定ステップと、前記優先順位に従って前記グループを選択する、グループ選択ステップと、前記配信エリア設定ステップと前記グループ選択ステップを用いて、選ばれた配信エリアとグループから他端末を選択する、端末選択ステップと、該端末選択ステップによって選択された前記他端末に情報を配信する、情報配信ステップと、を備えていることを特徴とする。
【発明の効果】
【００１０】
本発明は、優先順位別にグループ分けされた携帯端末群に対して、自端末と他端末間の距離により、配信エリアを設定することと、又、優先順位に従って、前記グループを選択することで、最終的に選ばれた配信エリアとグループとから他端末を選択していく方式を採用している。この方式であれば、潜在的なストーカーに出会う可能性も低くなり、前記自端末を持つ通知者自身を安全に守ることができる。
【図面の簡単な説明】
【００１１】
【図１】本発明のグループ配信の配信方式１から５の機能比較図である。
【図２】本発明の配信方式１である、グループ別に異なる情報を配信させる概念図である。
【図３】グループ別に異なる情報を配信させる時の端末群データベース例を示した図である。
【図４】本発明の配信方式２である、グループ別に同一の情報を配信させる概念図である。
【図５】グループ別に同一の情報を配信させる時の端末群データベース例を示した図である。
【図６】本発明の配信方式３である、グループ選択を優先させる概念図である。
【図７】グループ選択優先で配信エリア増減時の端末群データベース例を示した図である。
【図８】グループ選択優先で配信端末群を決定するフローチャート図である。
【図９】本発明の配信方式４である、配信エリア設定を優先させる概念図である。
【図１０】配信エリア設定優先でグループ追加時の端末群データベース例を示した図である。
【図１１】配信エリア設定優先で配信端末群を決定するフローチャート図である。
【図１２】本発明の配信方式５である、複数の仮想の自端末を中心とする、配信エリア例（ａ）、と配信される情報の表示例（ｂ）を示した図である。
【図１３】管理サーバ内に構築される、複数の仮想の自端末の端末群データベース例を示した図である。
【発明を実施するための形態】
【００１２】
次に本発明の実施形態について図面を用い説明する。ただし、これから述べる配信グループは、携帯端末を所持し、端末群データベース（たとえば図３参照）に登録され、端末群は、基地局や無線アクセスポイントを介した通常ネットワークと無線アドホックネットワークの環境下にあって、グループ通信できるとする。
【００１３】
配信グループについては、通知者の危険レベルに関係なく常時配信したい「家族」や、近くにいるときは救援コールを配信したい「友人」というように、後述する実施形態１から実施形態４においては、Ａグループ（家族）、Ｂグループ（友人）、Ｃグループ（教育機関・企業・団体）、Ｄグループ（アプリ登録メンバー）の４つのグループに区分され、しかもＡ（高）からＤ（低）と優先順位付けされているとする。この場合のグループ分けは、端末群データベースの例では、端末ＩＤの先頭桁を用い、グループ別にＡ、Ｂ、Ｃ、Ｄの英字を付与して表している。なお、実施形態５においては、利用料金の高低でゴールド、シルバー、配信なしの３つのグループに区分している。
【００１４】
図１は、本発明のグループ配信の配信方式１から５の機能比較図である。項目「端末目標数設定の有無」「グループと配信エリアの操作」「配信情報の同異」「配信情報の内容」の４つの観点から、次の５つの配信方式に分けている。
【００１５】
＜配信端末目標数を設定しない場合＞
配信方式１：配信エリアを固定し、優先順位の高低グループごとに異なる情報を配信する。
配信方式２：優先順位の高低グループごとに配信エリアを設定し、同じ情報を配信する。
＜配信端末目標数を設定する場合（同じ情報を配信）＞
配信方式３：優先順にグループの選択を優先させ、同一の優先グループで配信エリアを増減させて目標数の端末を選ぶ。
配信方式４：自端末の近くから遠くへと配信エリア設定を優先させ、同一の配信エリアで優先順にグループを追加させて目標数の端末を選ぶ。
このように、配信方式１および２、と、配信方式３および４は、配信端末目標数設定の有無によって、大別される。
【００１６】
配信方式５：優先順位の高低グループごとに配信エリアを設定し、なおかつ異なる情報を配信する。また配信端末目標数を設定していない。つまり、配信方式１と２の双方の特徴を採用する。
【００１７】
なお、配信方式３と４で配信端末目標数の設定が必要になるのは、通知者が危険に遭遇したときに、救援者の人数をある程度、確保したいがためである。
【００１８】
以下、配信方式１から４の配信する内容を「危険情報」とし、それぞれ実施形態１から４に説明する。その後、配信方式５の応用として、配信する内容を「施設の込み具合やイベント情報など」とし、テーマパークにおける配信例を実施形態５に説明する。
【００１９】
説明は、まず、実施形態１および２からである。形態１は配信エリアを固定して優先順位の高低グループごとに配信情報を変える。形態２は優先順位の高低グループごとに情報が届く配信エリアを変える。ただし配信情報は同一である。実施形態１および２の説明図は、それぞれ図２および３、と、図４および５である。
【００２０】
実施形態１と実施形態２では、配信端末目標数を設定しない。
【００２１】
＜実施形態１＞
配信エリアを固定して、エリア内のすべての登録メンバーに情報を配信する。ただし最上位のグループには得られた情報すべてを配信するが、下位のグループには情報の質を落として配信する。このようにグループごとの漸減的情報の配信を意識したのが、形態１である。
【００２２】
図２で形態１を説明する。同図は、同じ配信エリア内で、グループ別に異なる情報を配信させる概念図である。Ａグループから順に優先順位を下げ、Ｄグループが最下位の優先グループである。Ａグループの所属人数は３名、Ｂグループのそれは１０名、Ｃグループのそれは２０名、Ｄグループのそれは３０名とする。これら人数は、図８を除く、図２から図１０で用いる人数でもある。
【００２３】
図２で配信エリアを半径５０ｋｍと固定する。配信エリア内に入る人数は、網掛けで示したように、最上位のＡグループは２名、上位のＢグループは８名、下位のＣグループは６名、最下位のＤグループは２０名である。
【００２４】
ここで配信エリアとは、通知者から救援コールがあったときに駆けつけることのできる、通知者（自端末）を中心とするエリアのことをいう。車を利用するとして、３０分以内は距離にして５０ｋｍ以内である。
【００２５】
配信情報はグループで異なる。図２の、配信エリア内に入っている、Ａグループには最上位の、Ｂグループには上位の、Ｃグループには下位の、Ｄグループには最下位の、情報をそれぞれ提供する。たとえば、Ａグループには通知者の周辺画像を含め全危険情報が、Ｂグループには通知者の移動経路情報が、Ｃグループには通知者の位置情報のみ、Ｄグループには情報を配信しない、という配信情報の区別が考えられる。
【００２６】
このように優先順位別に異なる情報を配信することで、助けに行かなければいけないという受け手の心理的負担を軽減できる。下位のグループに区分けされているが、本当に救援に行きたい人の場合、下位では配信される情報が少ないので、友人に電話で問い合わせたりして、別の手立てで情報を仕入れなければならない。
【００２７】
図３は、グループ別に異なる情報を配信させる時の端末群データベース例を示した図である。Ｄグループ（アプリ登録メンバー）３４からＡグループ（家族）３１へとグループが下に行くほど、優先順位が高いことを示す。これら優先順位付けは、図８を除く、図４から図１０で用いる優先順位付けと同様である。
【００２８】
同図の項目「距離フラグ」７２は、配信エリア内の携帯端末を選択するのに使われる。まず端末群の位置情報ＧＰＳから、通知者（自端末）と他端末群との距離数を求める。次に配信エリア２０（図２参照）、たとえば５０ｋｍとの比較を行う。そして半径５０ｋｍ以内にある携帯端末群の距離フラグ７２をＯＮ（１）にする。次にＯＮ（１）になっている端末に対して、グループごとに異なる情報を配信する。
【００２９】
配信端末を選択するに当たっては、通知者が他端末群に一定間隔の連続で危険情報を配信する場合、登録メンバーの大半は移動している可能性が高い。そこで、位置情報の確認は定期的に行う。配信する前に逐次、通知者（自端末）と他端末群との距離数を求め、配信距離との比較で距離フラグ７２をＯＮ（１）・ＯＦＦ（０）している。
【００３０】
なお今後、配信エリアの符号として、２０ａ（最小）、２０ｂ（中途）、２０ｃ（最大）と使い分けするが、配信エリアを総称する場合は、配信エリア２０とする。
【００３１】
＜実施形態２＞
実施形態２の考えは、優先順位の高いグループには、遠くても救援に駆けつけて欲しい。優先順位が低くなると、遠距離で救援に駆けつけてもらうには心苦しい。最下位のグループには救援を要求しないので配信しない。という通知者の気持ちに配慮したものである。
【００３２】
実施形態２は形態１と同様、配信端末目標数を設定しない。違うのは、優先順位の高低グループごとに配信エリアを設定するための距離数を複数個存在させる。そして選定された端末に配信する情報は、同一ということである。
【００３３】
図４は、異なった配信エリア内で、グループ別に同一の情報を配信させる概念図である。優先順位の高低グループごとに配信エリアを設定するための距離数を複数個存在させる。同図の場合、優先順位が最上位グループのＡから最下位グループのＤまで、配信エリア設定のための距離数は、それぞれ７０ｋｍ、６０ｋｍ、５０ｋｍ、０ｋｍとしている。
【００３４】
同図（ａ）では、Ａグループの端末は７０ｋｍとの比較を行うため、３名すべてに配信される。同図（ｂ）では、Ｂグループの端末は６０ｋｍとの比較を行うため、１０名中８名に配信される。同図（ｃ）では、Ｃグループの端末は５０ｋｍとの比較を行うため、２０名中４名に配信される。Ｄグループの端末は０ｋｍとの比較を行うため、いずれにも配信されない。ただし網掛けは配信可能な端末で、網掛け内に人数も示している。
【００３５】
図５は、グループ別に同一の情報を配信させる時の端末群データベース例を示した図である。同図の項目「距離フラグ」７２は、配信エリア内の携帯端末を選択するのに使われる。「距離数」７３はグループごとに距離数を複数個存在させる。具体的には、同図のように、０、５０、６０、７０の数値を、この項目で上側から設定する。
【００３６】
まず端末群の位置情報ＧＰＳから、通知者の持つ自端末と他端末群との距離数を求める。次にグループごとで、項目「距離数」の各数値との比較を行う。そして携帯端末群の距離フラグ７２をＯＮ（１）にする。次にＯＮ（１）になっている端末に対して、同一の情報を配信する。なお、各端末群の位置情報の確認は定期的に行う。
【００３７】
実施形態３と実施形態４の考えを、商取引の事例を用い、順に述べる。
【００３８】
営業マンには、決算期が近づき、商品販売のノルマ（目標数設定）がある。優先順位の高い優良顧客グループ（Ａ）には、遠方に居てもできる限り（配信エリアの範囲内であれば）、優先して商品の情報を伝えたい。商品に対する興味を持つレベルが顧客グループで（Ｂ→Ｃ→Ｄ）と徐々に下がってきて、情報を伝えたところで食指を動かさない顧客グループ（Ｄ）には、情報を伝えても徒労に終わるので情報は伝えない。つまり優先順位の高い順に、商品情報を伝える顧客を選んでいくという考えである。
【００３９】
次に、鮮度最優先の売り手の立場で考える。鮮度の高い生鮮食品をたくさん買ってしまった。本日中に売り切りたい（目標数設定）。鮮度が勝負なので、まず近所（最小配信エリア）の顧客に売りさばいたが、残ってしまった。そこで遠方（拡大した配信エリア）になるが、遠出して、いつも買ってくれる優良顧客グループ（Ａ）に売ったが、それでも残ってしまった。この次に買ってくれる顧客グループ（Ｂ）に売り向かう、という商売熱心な人の立場である。つまり遠方に出かけずして、近くの顧客から売りさばいていくという考えである。
【００４０】
そこで、前者のたとえを実現させるために実施形態３を、後者のたとえを実現させるために実施形態４を用意した。実施形態３と４はそれぞれ、優先順にグループの選択を優先させ、同一の優先グループで配信エリアを増減させて目標数の端末を選ぶ方式（配信方式３）、自端末の近くから遠くへと配信エリア設定を優先させ、同一の配信エリアで優先順にグループを追加させて目標数の端末を選ぶ方式（配信方式４）の実施例である。
【００４１】
実施形態３と実施形態４では、配信端末目標数を設定する。この端末目標数の設定は、通知者が危険に遭遇したときに、救援者の人数をある程度、確保したいがためである。配信エリア内で通信可能とする配信端末目標数は、３０名に設定されているとする。
【００４２】
またこれらの形態では、配信エリアを段階的に増やす１回当たりの増分距離を１０ｋｍとする。加えて、車で３０分以内に駆けつけることのできる、点線で囲まれた５０ｋｍを半径とするエリアを最小配信エリア２０ａとする。
【００４３】
次に、優先順にグループの選択を優先させる配信方式３（図６から図８）と自端末の近くから遠くへと配信エリア設定を優先させる配信方式４（図９から図１１）の順番で説明する。
【００４４】
＜実施形態３＞
通知者が危険に遭遇したとき、家族や友人のような優先順位の高いグループには遠くてもできるだけ（配信エリアの範囲内であれば）駆けつけて欲しいという考えからの実施形態である。
【００４５】
図６から図８は、優先順にグループの選択を優先させる配信形式３で配信端末目標数に到達させる実施形態を示す。まず図６は、グループ選択を優先させる概念図である。（ａ）はＡグループが選択、（ｂ）はＡ、Ｂグループが選択、（ｃ）はＡ、Ｂ、Ｃグループが選択されている様子を示す。これらの図では、選択されたグループを網掛けで示す。
【００４６】
図６（ａ）において、まずグループ選択手段によって、Ａの最上位グループ３１を特定させる。次に最小配信エリア２０ａ（同図（ａ）の点線エリア）から最大配信エリアまで、１０ｋｍずつ段階的に配信距離を増やし、その都度配信端末数を求める。２０ｃ（同図（ａ）の実線エリア）の半径７０ｋｍの配信エリアで、やっと３名である。ここで、実線で囲まれた半径７０ｋｍの配信エリアを最大配信エリア２０ｃとしている。言い換えれば、配信エリアの最大範囲まで配信端末数を求め、その範囲を超える端末は数に入れない。
【００４７】
上記３名は配信端末目標数３０名に満たないので、図６（ｂ）において、Ｂグループを追加し、Ａ、Ｂグループとして、図６（ａ）と同様、配信エリアを段階的に増やす。その結果、配信端末数が合計１３名となる。
【００４８】
まだ配信端末目標数３０名に満たないので、図６（ｃ）において、さらにＣグループを追加する。最小配信エリアから段階的に配信エリアを増加させるが、同グループにおいて、最大配信エリア２０ｃで配信端末が１８名と増え、合計３１名となっている。これで、配信端末目標数３０名に達したことになる。
【００４９】
図６（ａ）、（ｂ）、（ｃ）における配信エリア（半径７０ｋｍ）の端末群データベースの中身が、それぞれ図７（ａ）、（ｂ）、（ｃ）に対応する。
【００５０】
図７（ａ）の項目「Ｇ選択（以降、Ｇ選択フラグとする）」７０はグループが選択されているとき、ＯＮ（１）になる。従って、Ａグループ（家族）３１のみが選択されている同図（ａ）では、ＡグループのＧ選択フラグ７０がＯＮ（１）で、Ｂグループ（友人）３２、Ｃグループ（教育機関・企業・団体）３３とＤグループ（アプリ登録メンバー）３４は、選ばれていないので同フラグ７０をＯＦＦ（０）にしている。
【００５１】
配信エリア内の携帯端末は、次のようにして決める。まず通知者（自端末）と他端末群との距離数を求める。次に配信エリア２０ｃ、たとえば７０ｋｍとの比較を行う。そして半径７０ｋｍ以内にある携帯端末群の距離フラグ７２をＯＮ（１）にする。
【００５２】
距離フラグ７２が求まったら、Ｇ選択フラグ７０との論理積（ＡＮＤ）で選択フラグ７１をＯＮ（１）にする。よって危険情報を配信する際は、選択フラグ７１がＯＮの登録メンバーに対して配信が行われる。図７（ａ）では、選択フラグ７１のＯＮ数（配信端末数）は３名である。
【００５３】
配信端末目標数３０名に満たないので、図７（ｂ）において、ＢグループのＧ選択フラグ７０をＯＮ（１）にして追加し、選択フラグ７１のＯＮ数を求める。１３名である。
【００５４】
まだ満たないので、図７（ｃ）において、さらにＣグループのＧ選択フラグ７０をＯＮ（１）にして追加し、選択フラグ７１のＯＮ数を求める。３１名になったことを示す。なお、各端末群の位置情報の確認は定期的に行う。
【００５５】
図８は、グループ選択優先で配信端末群を決定するフローチャート図である。まず、「家族」「友人」「教育機関・企業・団体」「アプリ登録メンバー」というようにグループに優先順位を付ける（ステップＳ１１）。
【００５６】
アプリの起動時のグループの特定（ステップＳ１２）では、最上位グループが選ばれている。次に最小配信エリアを設定（ステップＳ１３）、その時点での配信エリアにおいて、配信端末数を求める。この数は、端末群データベース（図７）の選択フラグ７１のＯＮ数を集計したものである。その数を用いて配信端末目標数に達したかどうか判断する。もし達していなければ（ステップＳ１４のＮＯ）、１段階分配信エリアを増やす（ステップＳ１５）。
【００５７】
最大配信エリアを超えたかどうか確認し、超えていなければ（ステップＳ１６のＮＯ）、ステップＳ１４に戻る。配信端末目標数に達しておれば（ステップＳ１４のＹＥＳ）配信端末が決定される（ステップＳ１８）。達していなければ（ステップＳ１４のＮＯ）、配信エリアをさらに１段階分を増やす（ステップＳ１５）。最大配信エリアを超えた場合（ステップＳ１６のＹＥＳ）は、１つ優先順位を下げて優先グループをさらに追加し（ステップＳ１７）、最小配信エリアに再度設定し（ステップＳ１３）、Ｓ１３からＳ１７までの操作を繰り返す。
【００５８】
＜実施形態４＞
通知者から最小配信エリアの設定で、身元への不確かさよりも、救援に駆けつけることのできる人は、可能な限り早く来て欲しいという考えからの実施形態である。実施形態３と同様、配信端末目標数を３０名に設定する。
【００５９】
図９から図１１は、自端末の近くから遠くへと配信エリア設定を優先させる配信形式４で配信端末目標数に到達させる実施形態を示す。まず図９は、配信エリア設定を優先させる概念図である。（ａ）はＡ、Ｂグループが選択、（ｂ）はＡ、Ｂ、Ｃグループが選択、（ｃ）はＡ、Ｂ、Ｃ、Ｄグループが選択され、それぞれの配信距離は５０ｋｍである。（ｄ）はＡ、Ｂ、Ｃ、Ｄグループが選択され、配信距離は６０ｋｍである。これらの図では、選択されたグループを網掛けで示す。そして配信エリア内の配信端末をより濃い網掛けで区別している。
【００６０】
まず配信エリア設定手段によって、最小配信エリア２０ａ（半径５０ｋｍ）に設定させる。次に、最上位グループから順次、最下位の優先グループまでグループを追加し、その都度配信端末数を求める。図９（ａ）のＡ、Ｂグループでは、４名である。
【００６１】
配信端末目標数３０名に満たないので、図９（ｂ）において、Ｃグループを追加し、Ａ、Ｂ、Ｃグループとして、配信エリア内の配信端末を求める。その結果、配信端末数が合計８名となる。
【００６２】
まだ配信端末目標数３０名に満たないので、図９（ｃ）において、さらに最下位のＤグループを追加する。配信エリア内の配信端末数が合計１８名である。
【００６３】
最下位のＤグループ追加でも配信端末目標数３０名に満たないので、図９（ｄ）において、１段階分配信エリアを増やす。
【００６４】
拡大した配信エリア２０ｂでＡ、Ｂ、Ｃ、Ｄグループと順次、グループを追加していくと、配信エリア内の配信端末数は合計３６名となっている。これで、配信端末目標数３０名に達したことになる。ただし最大配信エリア２０ｃを超えても配信端末目標数に達しない場合は、その時点での端末数で決定とする（図１の注釈参照）。
【００６５】
図９（ａ）、（ｂ）、（ｃ）における配信距離５０ｋｍの端末群データベースの中身が、それぞれ図１０（ａ）、（ｂ）、（ｃ）に対応する。図９（ｄ）における配信距離６０ｋｍの中身が図１０（ｄ）である。
【００６６】
図１０のＧ選択フラグ７０はグループが選択されているとき、ＯＮ（１）になる。（ａ）はＡ、Ｂグループが選択、（ｂ）はＡ、Ｂ、Ｃグループが選択、（ｃ）、（ｄ）はどちらもＡ、Ｂ、Ｃ、Ｄグループが選択されている。よって、それぞれに対応するＧ選択フラグ７０がＯＮ（１）となっている。
【００６７】
距離フラグ７２とＧ選択フラグ７０との論理積（ＡＮＤ）で選択フラグ７１をＯＮ（１）にする。図１０（ａ）では、選択フラグ７１のＯＮ数（配信端末数）は４名である。
【００６８】
配信端末目標数３０名に満たないので、図１０（ｂ）において、ＣグループのＧ選択フラグ７０をＯＮ（１）にして追加し、選択フラグ７１のＯＮ数を求める。８名である。
【００６９】
まだ満たないので、図１０（ｃ）において、さらにＤグループのＧ選択フラグ７０をＯＮ（１）にして追加し、選択フラグ７１のＯＮ数を求める。１８名になったことを示す。
【００７０】
最下位のＤグループを追加しても満たないので、１段階分配信エリアを増やす。Ａ、Ｂ、Ｃ、Ｄグループと順次、グループを追加していった最終の、図１０（ｄ）の選択フラグ７１のＯＮ数を求めると、ようやく３６名になったことを示す。なお、形態１から３と同様、各端末群の位置情報の確認は定期的に行う。
【００７１】
図１１は、配信エリア設定優先で配信端末群を決定するフローチャート図である。Ｓ２１のステップはＳ１１と同じである。
【００７２】
アプリの起動時の配信エリアの設定では、最小配信エリアに設定される（ステップＳ２２）。次に最上位グループを特定（ステップＳ２３）、この時点での配信エリアにおいて、配信端末数を求める。この数は、端末群データベース（図１０）の選択フラグ７１のＯＮ数を集計したものである。その数を用いて配信端末目標数に達したかどうか判断する。もし達していなければ（ステップＳ２４のＮＯ）、１つ優先順位を下げて優先グループをさらに追加する（ステップＳ２５）。
【００７３】
最下位グループを追加したかどうか確認し、追加していなければ（ステップＳ２６のＮＯ）、Ｓ２４に戻る。配信端末目標数に達しておれば（ステップＳ２４のＹＥＳ）、配信端末が決定される（ステップＳ２８）。達していなければ（ステップＳ２４のＮＯ）、１つ優先順位を下げて優先グループをさらに追加する（ステップＳ２５）。最下位グループに到達した場合（ステップＳ２６のＹＥＳ）は、配信エリアを１段階分増やし（ステップＳ２７）、最上位グループを再度特定し（ステップＳ２３）、Ｓ２３からＳ２７までの操作を繰り返す。
【００７４】
ここで、登録メンバーの信用度で見てみると、一般的に、Ａグループ（家族）３１、Ｂグループ（友人）３２では、身元のしっかりした被通知者である。これらグループに、登録メンバーとしてＣグループ（教育機関・企業・団体）３３とＤグループ（アプリ登録メンバー）３４を配信グループとして追加する。これは、メンバー全体の信用度が低下することを意味する。信用度低下が心配であれば、最下位のＤグループ（アプリ登録メンバー）を選択しない。Ｃグループ（教育機関・企業・団体）３３のみのグループ追加であれば、個人情報が特定されているので身元への不確かさの不安感は取り除かれる。ただしこの場合、配信端末目標数を多めに設定すれば、到達しない事態もありうる（図１の注釈参照）。
【００７５】
さて、危険情報を配信するために、図３や図５のような端末群データベースは、登録メンバーそれぞれの携帯端末本体内に置かれる。が、管理のしやすさから、前記登録メンバーすべての端末群データベースを管理サーバに置くこともできる。なお、どちらであっても、登録メンバーの個々の端末群データベース内の、他端末の端末ＩＤは、登録メンバーごとに異なる。
【００７６】
＜実施形態５＞
実施形態５は、本発明の実施形態１および２の考えを、発展させたものである。じっと動かない通知者（自端末）を複数にして異なる位置に据え置き、該異なる位置に対応させた端末群データベースを管理サーバ上に存在させる。つまり複数人の通知者（自端末）の位置情報を複数個用意して、該複数人の通知者（自端末）用の端末群データベースを前記管理サーバに設けるようにしたものである。
【００７７】
前記複数の通知者（自端末）用の端末群データベースは、通知者（自端末）の位置が異なる以外は同一ゆえに、前記他端末の属性情報は、前記複数の通知者（自端末）の間で共通である。ただし属性情報には端末ＩＤやグループ分けの情報が含まれる。
【００７８】
手順としては、メンバー登録と同時に、該他端末のグループ分けを行っておく。複数の通知者（自端末）の位置情報は管理サーバに存在しているので、利用者（他端末）からのＧＰＳ情報は該管理サーバに送られてくる。次に自端末と前記他端末の距離の算出、配信エリアに入っているかどうかの確認、そして配信エリア内の他端末へのグループ別情報配信を行う。これらの操作は、該管理サーバで実行されることになる。
【００７９】
上述の考えや手順から、図１２に示すような応用が生まれる。同図は、複数の仮想の自端末（以降、仮想の配信スポットと呼ぶ）を中心とする、配信エリア例（ａ）、と配信される情報の表示例（ｂ）を示した図である。同図（ａ）はテーマパークの複数の配信エリア２０ａと２０ｂを示し、同図（ｂ）はＰ１スポットから配信される、配信エリア２０ａ用と２０ｂ用の異なる情報の表示例である。
【００８０】
同図（ａ）は、テーマパーク内での仮想の配信スポット、つまり仮想の情報案内所である。テーマパーク内に、さまざまな情報を発信することができる複数（Ｐ１からＰ５）の配信スポットを設ける。その位置は、テーマパークの運営状況に合わせて設定変更が可能である。
【００８１】
該配信スポットを中心とする配信エリア内に入ると、利用者（他端末）の携帯端末に、アトラクションやレストランの込み具合、イベントなどの情報が提供される。情報の提供ばかりではなく、敷地内の遠く離れたアトラクションの入場のための整理券も、離れた場所に居りながら、受け手の携帯端末から申し込むことができる。
【００８２】
配信スポットから遠ければ情報が届かなくなるので、より高い利用料金を支払えば、届くことが可能となる。図１２（ｂ）で示したように、配信エリア２０ａ（たとえば配信距離１００ｍ）であれば、シルバー情報しか得られないが、より高い利用料金を支払えば、配信エリア２０ｂと拡大し、しかもゴールド情報が得られるようになる。ここでは、配信エリア２０ａと２０ｂのグループ分けは、利用料金の高低で決まる。
【００８３】
図１３は、管理サーバ内に構築される、複数の仮想の自端末の端末群データベース例を示した図である。複数の仮想の配信スポットを存在させるために、Ｐ１からＰ５スポットとリンクした端末群データベースが５つ構築される。登録された端末ＩＤやグループ分けの情報は個々の端末群データベースに５回繰り返し入力される。配信手順は、５つある仮想の配信スポットから、他端末間の距離をＧＰＳの差で算出させて、配信スポットごとに設定されている配信距離１００ｍと２００ｍと比較し、配信エリア２０ａか配信エリア２０ｂかの配信エリア内に入っておれば、距離フラグをＯＮ（１）にする。そして、グループごとにシルバーかゴールド情報かを配信する。
【００８４】
たとえば、図１３のＰ１スポットでのデータベースを参照すると、端末ＩＤがＣ００１の端末の距離フラグがＯＮ（１）になっている。この場合、図１２（ｂ）のシルバー情報が、端末Ｃ００１に配信される。
【００８５】
なお、図１２と図１３におけるグループは、利用料金の支払いの高低で分ける。ただし図１３では、利用料金を支払っていない人も登録メンバーとしている。同図では配信距離０ｍと比較し距離フラグがＯＦＦ（０）なので配信しない。ただ一般に料金を支払わない場合、登録メンバーになることはない。広義に解釈して、利用料金を支払わない人は、登録メンバーより下位の、最下位の優先グループとみなすことができる。
【００８６】
図１２のような配信方式５の考えは、アミューズメント施設が存在しない公園のような広い空間において、複数の配信スポットを設けることも可能である。配信スポットを中心に描く配信エリア内に、利用者（他端末）が入ってきたときに、スマホから音が聞こえるとか、スマホにＣＧが表示されるとか、に工夫することで、簡便なテーマパークに変身させることができる。
【００８７】
他にも、人の移動するエリアとして、展示品の音声ガイドが使われている美術館・博物館内のエリア、道標情報の早期取得が可能となる高速道路のエリア、適切に釣り場ポイント案内ができる海上エリアなどでも、応用できる。
【００８８】
最後になるが、実施形態１から４の端末群データベースは、通知者が持つ自端末本体にでも、または図１３に示したように管理サーバにでも置くことができる。ただしこの場合、Ｐ１からＰ５の５人の通知者（自端末）に登録される端末ＩＤは各通知者（自端末）用の端末群データベースごとに異なる。該端末群データベースを、携帯本体か管理サーバかどちらに置けば良いのかだが、ＧＰＳの読み取りで電力が大量に消費されるため、現在の技術では、管理しやすさも含めて、管理サーバに置く方が良いと思われる。
【００８９】
管理サーバに置く場合、自端末の現在位置をＧＰＳで測定し、その位置情報を管理サーバに送信する。それ以降の操作である、他端末群のグループ分けや、優先順位に従ってグループを選択させたり、配信エリア内かどうかの確認をしたり、などの処理は、前記管理サーバで行う。つまり、大半の配信処理は管理サーバで行う。
【００９０】
上述のような実施形態１から４にすることによって、通知者が危険に遭遇したとき、より安心度を与えられる発明にすることができる。
【符号の説明】
【００９１】
１０                    通知者又は仮想の自端末
２０                    配信エリア
２０ａ                  最小配信エリア
２０ｂ                  中途の配信エリア
２０ｃ                  最大配信エリア
３１                    最上位グループ
３２                    上位グループ
３３                    下位グループ
３４                    最下位グループ
７０                    グループ選択フラグ
７１                    選択フラグ
７２                    距離フラグ
７３                    距離数
Ｓ１１からＳ１８        グループ選択優先で配信端末群を決定する
フローチャート図に関する構成要素
Ｓ２１からＳ２８        配信エリア設定優先で配信端末群を決定する
フローチャート図に関する構成要素
【図１】
2020115646.tif 000003
【図２】
2020115646.tif 000004
【図３】
2020115646.tif 000005
【図４】
2020115646.tif 000006
【図５】
2020115646.tif 000007
【図６】
2020115646.tif 000008
【図７】
2020115646.tif 000009
【図８】
2020115646.tif 000010
【図９】
2020115646.tif 000011
【図１０】
2020115646.tif 000012
【図１１】
2020115646.tif 000013
【図１２】
2020115646.tif 000014
【図１３】
2020115646.tif 000015